(57)【特許請求の範囲】
【請求項１】
第一画素電極が複数個配列された第一基板と、
第二画素電極が複数個配列された第二基板と、
前記第一画素電極と前記第二画素電極とに挟持された電気光学材料と、を含み、
前記第一画素電極の一つは、第一方向に関して、第１の第二画素電極と、前記第１の第二画素電極に隣り合う第２の第二画素電極と、に平面視にて重なっており、
前記第二画素電極の一つは、前記第一方向に関して、第１の第一画素電極と、前記第１の第一画素電極に隣り合う第２の第一画素電極と、に平面視にて重なっており、
駆動部を備え、
前記駆動部は、前記第一画素電極に第一画像信号を供給し、前記第二画素電極に第二画像信号を供給し、
前記電気光学材料に印加される電圧を元画像信号Ｖ0とし、前記元画像信号Ｖ0の最大振幅を最大振幅電圧ＶAとし、任意の電圧をαとした際に、
第一期間に第一画素電極に供給される第一画像信号Ｖ11と第二画素電極に供給される第二画像信号Ｖ12とは、数式１と数式２との関係式を満たし、
前記第一期間に続く第二期間に第一画素電極に供給される第一画像信号Ｖ21と第二画素電極に供給される第二画像信号Ｖ22とは、数式３と数式４との関係式を満たす事を特徴とする電気光学装置。
【数１】
0006354406.tif 000010
【数２】
0006354406.tif 000011
【数３】
0006354406.tif 000012
【数４】
0006354406.tif 000013
【請求項２】
前記第一画素電極の一つと前記第１の第二画素電極との重なり部の面積は、前記第一画素電極の一つと前記第２の第二画素電極との重なり部の面積にほぼ等しく、
前記第二画素電極の一つと前記第１の第一画素電極との重なり部の面積は、前記第二画素電極の一つと前記第２の第一画素電極との重なり部の面積にほぼ等しい事を特徴とする請求項１に記載の電気光学装置。
【請求項３】
前記第一画素電極の一つは、前記第一方向に交差する第二方向に関して、第３の第二画素電極と、前記第３の第二画素電極に隣り合う第４の第二画素電極と、に平面視にて重なっており、
前記第二画素電極の一つは、前記第二方向に関して、第３の第一画素電極と、前記第３の第一画素電極に隣り合う第４の第一画素電極と、に平面視にて重なっている事を特徴とする請求項１又は２に記載の電気光学装置。
【請求項４】
前記第一画素電極の一つと前記第３の第二画素電極との重なり部の面積は、前記第一画素電極の一つと前記第４の第二画素電極との重なり部の面積にほぼ等しく、
前記第二画素電極の一つと前記第３の第一画素電極との重なり部の面積は、前記第二画素電極の一つと前記第４の第一画素電極との重なり部の面積にほぼ等しい事を特徴とする請求項３に記載の電気光学装置。
【請求項５】
前記第一期間と前記第二期間とは交互に繰り返される事を特徴とする請求項１乃至４のいずれか一項に記載の電気光学装置。
【請求項６】
請求項１乃至５のいずれか一項に記載の電気光学装置を備えた事を特徴とする電子機器。
【発明の詳細な説明】
【技術分野】
【０００１】
本発明は、電気光学装置、及び電子機器に関する。
【背景技術】
【０００２】
表示機能が付いた電子機器では、透過型電気光学装置や反射型電気光学装置が使用されている。これらの電気光学装置に光が照射され、電気光学装置により変調された透過光や反射光が表示画像となったり、或いはスクリーンに投影されて投射画像となったりしている。この様な電子機器に使用される電気光学装置としては液晶装置が知られており、これは液晶の誘電異方性と液晶層に於ける光の旋光性とを利用して画像を形成する物である。液晶装置の一例は特許文献１に記載されている。特許文献１に記載の液晶装置では、素子基板と対向基板とが用いられ、画像表示領域に対応する素子基板に走査線と信号線とが配置されて、これらの交点に画素が行列状に配置されている。画素には画素トランジスターが設けられ、画素トランジスターを介して各画素の画素電極に画素電位として画像信号が供給される。一方、対向基板には共通電極が設けられ、共通電極と画素電極との電位差に応じて画像が形成される。
【先行技術文献】
【特許文献】
【０００３】
【特許文献１】特開２０１０−１０２１５１号公報
【発明の概要】
【発明が解決しようとする課題】
【０００４】
しかしながら、特許文献１に記載されている様な従来の液晶装置では、表示画像の高精細化が困難であると云う課題と、信号処理が難しいと云う課題と、があった。例えば、昨今は画素数がフルＨＤ画像（１９２０×１０８０）の４倍となる４Ｋ画像（３８４０×２１６０）の表示が求められているが、同じ面積の液晶装置でこれを実現するには、画素面積を従来の４分の１にせねばならず、その実現が極めて困難であった。又、４Ｋ画像に対応するコンテンツ不足から、或いはフルＨＤ画像で記録された映像を４Ｋ画像として視聴する為に、フルＨＤ画像の画像データをアップコンバートして疑似４Ｋ画像とし、これを４Ｋ画像に適応した液晶装置で表示させる事が求められた。この場合、アップコンバート技術が容易でなく、複雑な処理回路が必要となっていた。換言すれば、従来の液晶装置は、画像データをアップコンバートするのが大変であるという課題と、アップコンバートされた画像データを表示する電気光学装置の実現が困難であると云う課題と、があった。
【課題を解決するための手段】
【０００５】
本発明は、前述の課題の少なくとも一部を解決する為になされたものであり、以下の形態又は適用例として実現する事が可能である。
【０００６】
（適用例１）  本適用例に係わる電気光学装置は、第一画素電極が複数個配列された第一基板と、第二画素電極が複数個配列された第二基板と、第一画素電極と第二画素電極とに挟持された電気光学材料と、を含み、第一画素電極の一つは、第一方向に関して、第１の第二画素電極と、第１の第二画素電極に隣り合う第２の第二画素電極と、に平面視にて重なっており、第二画素電極の一つは、第一方向に関して、第１の第一画素電極と、第１の第一画素電極に隣り合う第２の第一画素電極と、に平面視にて重なっている事を特徴とする。
この構成によると、電気光学装置の第一方向に関する解像度を、第一基板での第一方向に関する第一画素電極の解像度や、第二基板での第一方向に関する第二画素電極の解像度、よりも高める事ができる。具体的には、電気光学装置の第一方向に関する解像度を、第一基板での第一方向に関する第一画素電極の解像度や、第二基板での第一方向に関する第二画素電極の解像度、の二倍に高める事ができる。従って、低解像度の第一基板や第二基板を用いて、高精細な画像を表示する電気光学装置を容易に実現する事ができる。
【０００７】
（適用例２）  上記適用例１に記載の電気光学装置に於いて、第一画素電極の一つと第１の第二画素電極との重なり部の面積は、第一画素電極の一つと第２の第二画素電極との重なり部の面積にほぼ等しく、第二画素電極の一つと第１の第一画素電極との重なり部の面積は、第二画素電極の一つと第２の第一画素電極との重なり部の面積にほぼ等しい事が好ましい。
この構成によれば、電気光学装置の第一方向に関する画素長を概ね均一とする事ができる。従って、表示すべき画像を忠実に且つ高精細に表示する事ができる。
【０００８】
（適用例３）  上記適用例１又は２に記載の電気光学装置に於いて、第一画素電極の一つは、第一方向に交差する第二方向に関して、第３の第二画素電極と、第３の第二画素電極に隣り合う第４の第二画素電極と、に平面視にて重なっており、第二画素電極の一つは、第二方向に関して、第３の第一画素電極と、第３の第一画素電極に隣り合う第４の第一画素電極と、に平面視にて重なっている事が好ましい。
この構成によると、電気光学装置の第二方向に関する解像度を、第一基板での第二方向に関する第一画素電極の解像度や、第二基板での第二方向に関する第二画素電極の解像度、よりも高める事ができる。具体的には、電気光学装置の第二方向に関する解像度を、第一基板での第二方向に関する第一画素電極の解像度や、第二基板での第二方向に関する第二画素電極の解像度、の二倍に高める事ができる。従って、低解像度の第一基板や第二基板を用いて、高精細な画像を表示する電気光学装置を容易に実現する事ができる。
【０００９】
（適用例４）  上記適用例３に記載の電気光学装置に於いて、第一画素電極の一つと第３の第二画素電極との重なり部の面積は、第一画素電極の一つと第４の第二画素電極との重なり部の面積にほぼ等しく、第二画素電極の一つと第３の第一画素電極との重なり部の面積は、第二画素電極の一つと第４の第一画素電極との重なり部の面積にほぼ等しい事が好ましい。
この構成によれば、電気光学装置の第二方向に関する画素長を概ね均一とする事ができる。従って、表示すべき画像を忠実に且つ高精細に表示する事ができる。
【００１０】
（適用例５）  上記適用例１乃至４のいずれか一項に記載の電気光学装置に於いて、駆動部を備え、駆動部は、第一画素電極に第一画像信号を供給し、第二画素電極に第二画像信号を供給する事が好ましい。
この構成によると、電気光学材料は第一画像信号と第二画像信号とにより駆動されるので、表示すべき画像を忠実に且つ高精細に表示する優れた電気光学装置を実現する事ができる。
【００１１】
（適用例６）  上記適用例５に記載の電気光学装置に於いて、電気光学材料に印加される電圧を元画像信号Ｖ0とし、元画像信号Ｖ0の最大振幅を最大振幅電圧ＶAとし、任意の電圧をαとした際に、第一期間に第一画素電極に供給される第一画像信号Ｖ11と第二画素電極に供給される第二画像信号Ｖ12とは、数式１と数式２との関係式を満たし、第一期間に続く第二期間に第一画素電極に供給される第一画像信号Ｖ21と第二画素電極に供給される第二画像信号Ｖ22とは、数式３と数式４との関係式を満たす事が好ましい。
【数１】
0006354406.tif 000002
【数２】
0006354406.tif 000003
【数３】
0006354406.tif 000004
【数４】
0006354406.tif 000005
この構成によると、元の画像データを簡単に高解像度の画像データにアップコンバートでき、アップコンバートされた画像データを正しく表示する電気光学装置を実現する事ができる。更に、第一期間と第二期間とで電気光学材料への極性を反転させる事ができる。
【００１２】
（適用例７）  上記適用例６に記載の電気光学装置に於いて、第一期間と第二期間とは交互に繰り返される事が好ましい。
この構成によると、簡単に高精細画像の極性反転駆動を実現する事ができる。
【００１３】
（適用例８）  上記適用例１乃至７のいずれか一項に記載の電気光学装置を備えた事を特徴とする電子機器。
この構成によると、高精細な画像を表示する電気光学装置や、低解像度の画像信号に簡単な処理を施すだけで高解像度画像を表示する電気光学装置、を備えた電子機器を実現する事ができる。
【図面の簡単な説明】
【００１４】
【図１】電子機器の一例である投射型表示装置の模式図。
【図２】電気光学装置の一例である液晶装置を説明する図。
【図３】電気光学装置の回路ブロック図。
【図４】電気光学装置の画素を説明する図。
【図５】画素の回路図。
【図６】液晶装置の模式断面図。
【図７】電気光学材料の電気光学特性の一例を示す図。
【図８】元画像信号の一例を示す図。
【図９】第一画像信号の一例を示す図。
【図１０】第二画像信号の一例を示す図。
【図１１】電気光学装置の表示の一例を説明する図。
【発明を実施するための形態】
【００１５】
以下、本発明の実施形態について、図面を参照して説明する。尚、以下の各図においては、各層や各部材を認識可能な程度の大きさにするため、各層や各部材の尺度を実際とは異ならせしめている。
【００１６】
（実施形態１）
「電子機器の概要」
図１は、電子機器の一例である投射型表示装置（３板式のプロジェクター）の模式図である。以下、図１を参照して電子機器の構成を説明する。
【００１７】
電子機器（投射型表示装置１０００）は、３枚の電気光学装置２００（図２参照、以下、第一パネル２０１、第二パネル２０２、第三パネル２０３と略称する）と、これら電気光学装置２００に制御信号を供給する制御装置３０と、を少なくとも有している。第一パネル２０１と第二パネル２０２と第三パネル２０３とは、相異なる表示色（赤色や緑色、青色）に対応する３個の電気光学装置２００である。以下、特に第一パネル２０１と第二パネル２０２と第三パネル２０３とを区別する必要がなければ、これらを纏めて単に電気光学装置２００と称する。
【００１８】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２００は、照明光学系１１００から供給される各色光を表示画像に応じて変調する光変調器（ライトバルブ）として機能する。投射光学系１３００は、各電気光学装置２００からの出射光を合成して投射面１４００に投射する。
【００１９】
「電気光学装置の概要」
図２は、電気光学装置の一例である液晶装置を説明する図である。次に、図２を参照して電気光学装置２００の概要を説明する。
【００２０】
図２に示す様に、電気光学装置２００は第一基板６１１と第二基板６１２とを備え、第一基板６１１と第二基板６１２との間に不図示の電気光学材料が配置されている。本実施形態では、電気光学材料は液晶４６（図６参照）である。電気光学装置２００には複数個の画素４１（図３参照）が行列状に配置されており、各画素４１は第一画素電極４５１と第二画素電極４５２と電気光学材料とを含んでいる。第一画素電極４５１は第一基板６１１にｍ1行ｎ1列（ｍ1は２以上の整数、ｎ1は２以上の整数）の複数個配列されており、第二画素電極４５２は第二基板６１２にｍ2行ｎ2列（ｍ2は２以上の整数、ｎ2は２以上の整数）の複数個配列されている。この様に各画素４１にて電気光学材料は第一画素電極４５１と第二画素電極４５２とに挟持されている。
【００２１】
電気光学装置２００は更に駆動部５０（図３参照）を備え、駆動部５０は、第一画素電極４５１に第一画像信号を供給し、第二画素電極４５２に第二画像信号を供給する。第一画素電極４５１と第二画素電極４５２とは、第一基板６１１や第二基板６１２の法線方向から見て（以下、これを平面視にて、と記述する）、それらのサイズと配列ピッチとがほぼ等しくなっている。即ち、第一画素電極４５１と第二画素電極４５２とのサイズはほぼ等しく、第一基板６１１での第一画素電極４５１の配列ピッチと、第二基板６１２での第二画素電極４５２の配列ピッチと、はほぼ等しい。この結果、電気光学材料は画素４１毎に第一画像信号と第二画像信号との電位差によって駆動される事となり、各画素４１にて光学状態が変調される。要するに、電気光学装置２００では、第一画素電極４５１に供給される第一画像信号と第二画素電極４５２に供給される第二画像信号とに応じて、画像が表示されるのである。
【００２２】
第一画素電極４５１と第二画素電極４５２とのサイズと配列ピッチとはほぼ等しいが、第一画素電極４５１と第二画素電極４５２とは、第一方向（Ｘ軸方向とする）に関しても、第一方向に交差する第二方向（Ｙ軸方向とする）に関しても、配置が配列ピッチの半分だけ、ずれている。即ち、第一画素電極４５１の一つは、第一方向に関して、第１の第二画素電極４５２と、第１の第二画素電極４５２に第一方向に隣り合う第２の第二画素電極４５２と、に平面視にて重なっており、第二画素電極４５２の一つは、第一方向に関して、第１の第一画素電極４５１と、第１の第一画素電極４５１に第一方向に隣り合う第２の第一画素電極４５１と、に平面視にて重なっている。斯うする事で、電気光学装置２００の第一方向に関する解像度を、第一基板６１１での第一方向に関する第一画素電極４５１の解像度や、第二基板６１２での第一方向に関する第二画素電極４５２の解像度、よりも高められる。具体的には、電気光学装置２００の第一方向に関する解像度を、第一基板６１１での第一方向に関する第一画素電極４５１の解像度や、第二基板６１２での第一方向に関する第二画素電極４５２の解像度、の二倍に高める事ができる。従って、低解像度の第一基板６１１や第二基板６１２を用いて、高精細な画像を表示する電気光学装置２００を容易に実現する事ができる。
【００２３】
同様に、第一画素電極４５１の一つは、第３の第二画素電極４５２と、第３の第二画素電極４５２に第二方向に隣り合う第４の第二画素電極４５２と、に平面視にて重なっており、第二画素電極４５２の一つは、第二方向に関して、第３の第一画素電極４５１と、第３の第一画素電極４５１に第二方向に隣り合う第４の第一画素電極４５１と、に平面視にて重なっている。斯うする事で、電気光学装置２００の第二方向に関する解像度を、第一基板６１１での第二方向に関する第一画素電極４５１の解像度や、第二基板６１２での第二方向に関する第二画素電極４５２の解像度、よりも高められる。具体的には、電気光学装置２００の第二方向に関する解像度を、第一基板６１１での第二方向に関する第一画素電極４５１の解像度や、第二基板６１２での第二方向に関する第二画素電極４５２の解像度、の二倍に高める事ができる。従って、低解像度の第一基板６１１や第二基板６１２を用いて、高精細な画像を表示する電気光学装置２００を容易に実現する事ができる。
【００２４】
「電気光学装置の構成」
図３は、電気光学装置の回路ブロック図である。図４は、電気光学装置の画素を説明する図である。次に、図３と図４とを参照して電気光学装置２００の構成を説明する。
【００２５】
図３に示す様に、電気光学装置２００は表示領域４０と駆動部５０とを少なくとも具備している。電気光学装置２００の表示領域４０には、相交差する複数の第一走査線４２１と複数の第一信号線４３１とが形成され、第一走査線４２１と第一信号線４３１との各交差に対応して第一画素電極４５１が行列状に配列されている。第一走査線４２１は行方向（第一方向、Ｘ軸に平行な方向）に延在しており、第一信号線４３１は列方向（第二方向、Ｙ軸に平行な方向）に延在している。又、電気光学装置２００の表示領域４０には、相交差する複数の第二走査線４２２と複数の第二信号線４３２とが形成され、第二走査線４２２と第二信号線４３２との各交差に対応して第二画素電極４５２が行列状に配列されている。第二走査線４２２は行方向（第一方向）に延在しており、第二信号線４３２は列方向（第二方向）に延在している。
【００２６】
画素４１は前述の如く第一画素電極４５１と第二画素電極４５２との平面視に於ける重なり部に形成される。従って、行列状に配列された画素４１の各々には第一走査線４２１と第一信号線４３１と第二走査線４２２と第二信号線４３２とが配線されている。画素４１の行方向の数ｍは、第一画素電極４５１と第二画素電極４５２とが行方向に重なり合っている数である。又、画素４１の列方向の数ｎは、第一画素電極４５１と第二画素電極４５２とが列方向に重なり合っている数である。第一画素電極４５１の行方向の数ｍ1と第二画素電極４５２の行方向の数ｍ2とは、同じであるか（ｍ1＝ｍ2）、一つ違いであるか（ｍ1＝ｍ2＋１、或いはｍ1＋１＝ｍ2）、が好ましい。これらの場合、画素４１の行方向の数ｍは、第一画素電極４５１の行方向の数ｍ1と第二画素電極４５２の行方向の数ｍ2との和から１を減じた数（ｍ＝ｍ1＋ｍ2−１）となる。同様に、第一画素電極４５１の列方向の数ｎ1と第二画素電極４５２の列方向の数ｎ2とは、同じであるか（ｎ1＝ｎ2）、一つ違いであるか（ｎ1＝ｎ2＋１、或いはｎ1＋１＝ｎ2）、が好ましい。これらの場合、画素４１の列方向の数ｎは、第一画素電極４５１の列方向の数ｎ1と第二画素電極４５２の列方向の数ｎ2との和から１を減じた数（ｎ＝ｎ1＋ｎ2−１）となる。
【００２７】
本実施形態では、ｍ1＝ｍ2＝１０８０で、ｎ1＝ｎ2＝１９２０を例として、電気光学装置２００を説明する。この場合、ｍ＝２１５９でｎ＝３８３９の画素４１が表示領域４０に含まれ、表示領域４０には所謂４Ｋ画像が表示される事になる。尚、第一走査線４２１の内でｉ行目の第一走査線４２１を特定する際には、第一走査線１Ｇｉと表記し、第一信号線４３１の内でｊ列目の第一信号線４３１を特定する際には、第一信号線１Ｓｊと表記する。同様に、第二走査線４２２の内でｉ行目の第二走査線４２２を特定する際には、第二走査線２Ｇｉと表記し、第二信号線４３２の内でｊ列目の第二信号線４３２を特定する際には、第二信号線２Ｓｊと表記する。
【００２８】
第一画素電極４５１の一つ（例えば、１Ｇ２と１Ｓ２との交点に形成されている第一画素電極４５１）は、第一方向に関して、第１の第二画素電極４５２（今の例では、２Ｇ１と２Ｓ１との交点に形成されている第二画素電極４５２や、２Ｇ２と２Ｓ１との交点に形成されている第二画素電極４５２）と、この第１の第二画素電極４５２に第一方向に隣り合う第２の第二画素電極４５２（今の例では、２Ｇ１と２Ｓ２との交点に形成されている第二画素電極４５２や、２Ｇ２と２Ｓ２との交点に形成されている第二画素電極４５２）と、に平面視にて重なっている。一方、第二画素電極４５２の一つ（例えば、２Ｇ１と２Ｓ１との交点に形成されている第二画素電極４５２）は、第一方向に関して、第１の第一画素電極４５１（今の例では、１Ｇ１と１Ｓ１との交点に形成されている第一画素電極４５１や、１Ｇ２と１Ｓ１との交点に形成されている第一画素電極４５１）と、この第１の第一画素電極４５１に第一方向に隣り合う第２の第一画素電極４５１（今の例では、１Ｇ１と１Ｓ２との交点に形成されている第一画素電極４５１や、１Ｇ２と１Ｓ２との交点に形成されている第一画素電極４５１）と、に平面視にて重なっている。
【００２９】
同様に、第一画素電極４５１の一つ（例えば、１Ｇ２と１Ｓ２との交点に形成されている第一画素電極４５１）は、第二方向に関して、第３の第二画素電極４５２（今の例では、２Ｇ１と２Ｓ１との交点に形成されている第二画素電極４５２や、２Ｇ１と２Ｓ２との交点に形成されている第二画素電極４５２）と、この第３の第二画素電極４５２に第二方向に隣り合う第４の第二画素電極４５２（今の例では、２Ｇ２と２Ｓ１との交点に形成されている第二画素電極４５２や、２Ｇ２と２Ｓ２との交点に形成されている第二画素電極４５２）と、に平面視にて重なっている。一方、第二画素電極４５２の一つ（例えば、２Ｇ１と２Ｓ１との交点に形成されている第二画素電極４５２）は、第二方向に関して、第３の第一画素電極４５１（今の例では、１Ｇ１と１Ｓ１との交点に形成されている第一画素電極４５１や、１Ｇ１と１Ｓ２との交点に形成されている第一画素電極４５１）と、この第３の第一画素電極４５１に第二方向に隣り合う第４の第一画素電極４５１（今の例では、１Ｇ２と１Ｓ１との交点に形成されている第一画素電極４５１や、１Ｇ２と１Ｓ２との交点に形成されている第一画素電極４５１）と、に平面視にて重なっている。
【００３０】
第一画素電極４５１と第二画素電極４５２とが同じ配列ピッチで其々の基板に配置され、それらの位置が、第一方向に関しても第二方向に関しても配列ピッチのほぼ半分ずれている。この結果、第一画素電極４５１の一つ（例えば、１Ｇ２と１Ｓ２との交点に形成されている第一画素電極４５１）と第１の第二画素電極４５２（今の例では、２Ｇ１と２Ｓ１との交点に形成されている第二画素電極４５２）との重なり部（今の例では、ｍ＝２、ｎ＝２の画素４１）の面積は、第一画素電極４５１の一つ（今の例では、１Ｇ２と１Ｓ２との交点に形成されている第一画素電極４５１）と第２の第二画素電極４５２（今の例では、２Ｇ１と２Ｓ２との交点に形成されている第二画素電極４５２）との重なり部（今の例では、ｍ＝２、ｎ＝３の画素４１）の面積にほぼ等しくなる。又、第二画素電極４５２の一つ（例えば、２Ｇ１と２Ｓ１との交点に形成されている第二画素電極４５２）と第１の第一画素電極４５１（今の例では、１Ｇ１と１Ｓ１との交点に形成されている第一画素電極４５１）との重なり部（今の例では、ｍ＝１、ｎ＝１の画素４１）の面積は、第二画素電極４５２の一つ（今の例では、２Ｇ１と２Ｓ１との交点に形成されている第二画素電極４５２）と第２の第一画素電極４５１（今の例では、１Ｇ１と１Ｓ２との交点に形成されている第一画素電極４５１）との重なり部（今の例では、ｍ＝１、ｎ＝２の画素４１）の面積にほぼ等しくなる。斯うして、電気光学装置２００の第一方向に関する画素長が概ね均一となり、表示すべき画像は忠実に且つ高精細に表示される。
【００３１】
同様に、第一画素電極４５１の一つ（例えば、１Ｇ２と１Ｓ２との交点に形成されている第一画素電極４５１）と第３の第二画素電極４５２（今の例では、２Ｇ１と２Ｓ１との交点に形成されている第二画素電極４５２）との重なり部（今の例では、ｍ＝２、ｎ＝２の画素４１）の面積は、第一画素電極４５１の一つ（今の例では、１Ｇ２と１Ｓ２との交点に形成されている第一画素電極４５１）と第４の第二画素電極４５２（今の例では、２Ｇ２と２Ｓ１との交点に形成されている第二画素電極４５２）との重なり部（今の例では、ｍ＝３、ｎ＝２の画素４１）の面積にほぼ等しくなる。又、第二画素電極４５２の一つ（例えば、２Ｇ１と２Ｓ１との交点に形成されている第二画素電極４５２）と第３の第一画素電極４５１（今の例では、１Ｇ１と１Ｓ１との交点に形成されている第一画素電極４５１）との重なり部（今の例では、ｍ＝１、ｎ＝１の画素４１）の面積は、第二画素電極４５２の一つ（この例では、２Ｇ１と２Ｓ１との交点に形成されている第二画素電極４５２）と第４の第一画素電極４５１（今の例では、１Ｇ２と１Ｓ１との交点に形成されている第一画素電極４５１）との重なり部（今の例では、ｍ＝２、ｎ＝１の画素４１）の面積にほぼ等しくなる。斯うして、電気光学装置２００の第二方向に関する画素長が概ね均一となり、表示すべき画像は忠実に且つ高精細に表示される。
【００３２】
要するに、図４に示す様に、ｉ行ｊ列の第一画素電極４５１（ｉ，ｊ）とｉ行ｊ＋１列の第一画素電極４５１（ｉ，ｊ＋１）とｉ＋１行ｊ列の第一画素電極４５１（ｉ＋１，ｊ）とｉ＋１行ｊ＋１列の第一画素電極４５１（ｉ＋１，ｊ＋１）とに、ｉ行ｊ列の第二画素電極４５２（ｉ，ｊ）が平面視で重なり、其々の重なり部に２ｉ−１行２ｊ−１列の画素４１（２ｉ−１，２ｊ−１）と２ｉ−１行２ｊ列の画素４１（２ｉ−１，２ｊ）と２ｉ行２ｊ−１列の画素４１（２ｉ，２ｊ−１）と２ｉ行２ｊ列の画素４１（２ｉ，２ｊ）とが形成される。この様にして、電気光学装置２００の解像度（画素４１の密度）は、第一基板６１１の解像度（第一画素電極４５１の密度）や第二基板６１２の解像度（第二画素電極４５２の密度）の倍となる。
【００３３】
尚、本明細書で「ほぼ等しい」と言う場合、設計概念上意図的に異ならせていない事を意味し、製造誤差や測定誤差等の各種誤差程度の差が有っても構わない。より具体的には、５％程度の差までは「ほぼ等しい」と言える。
【００３４】
図３に戻る。表示領域４０には駆動部５０から各種信号が供給され、画像が表示領域４０に表示される。即ち、駆動部５０は、複数の第一走査線４２１と複数の第一信号線４３１と複数の第二走査線４２２と複数の第二信号線４３２とに駆動信号を供給する。具体的に、駆動部５０は、各画素４１を駆動する駆動回路５１と、駆動回路５１に表示用信号を供給する表示用信号供給回路３２と、記憶回路３３と、を含んで構成される。記憶回路３３は、フレーム画像を一時的に記憶する一時記憶回路や、電気光学材料に印加される電圧の最大振幅等を長期間に渡って記憶する不揮発性記憶回路、を含んでいる。記憶回路３３に記憶されたフレーム画像から、表示用信号供給回路３２は表示用信号を作製し、これを駆動回路５１に供給する。表示用信号とは、各画素４１にて表示輝度に対応する電位（第一画像信号や第二画像信号）やクロック信号等である。
【００３５】
駆動回路５１は第一走査線駆動回路５２１と第一信号線駆動回路５３１と第二走査線駆動回路５２２と第二信号線駆動回路５３２とを含んで構成される。第一走査線駆動回路５２１は第一画素電極４５１を行方向に選択又は非選択する走査信号を各第一走査線４２１に出力し、第二走査線駆動回路５２２は第二画素電極４５２を行方向に選択又は非選択する走査信号を各第二走査線４２２に出力する。第一走査線４２１と第二走査線４２２とはこれらの走査信号を第一画素電極４５１や第二画素電極４５２に伝える。言い換えると、走査信号は選択状態と非選択状態とを有しており、第一走査線４２１は、第一走査線駆動回路５２１からの走査信号を受けて、適宜選択され得る。又、第二走査線４２２は、第二走査線駆動回路５２２からの走査信号を受けて、適宜選択され得る。第一走査線駆動回路５２１と第二走査線駆動回路５２２とは不図示のシフトレジスター回路を備えており、シフトレジスター回路をシフトする信号が、一段毎にシフト出力信号として出力される。このシフト出力信号を用いて走査信号が形成される。
【００３６】
第一走査線駆動回路５２１と第二走査線駆動回路５２２とは同期が取られており、常に同一行の第一走査線４２１と第二走査線４２２とを同時に選択するのが好ましい。例えば、第一走査線駆動回路５２１がｉ行目の第一走査線１Ｇｉを選択した際には、第二走査線駆動回路５２２もｉ行目の第二走査線２Ｇｉを選択するのが好ましい。第一信号線駆動回路５３１は、第一走査線４２１の選択に同期してｎ本の第一信号線４３１の各々に第一画像信号を供給する。又、第二信号線駆動回路５３２は、第二走査線４２２の選択に同期してｎ本の第二信号線４３２の各々に第二画像信号を供給する。第一信号線駆動回路５３１と第二信号線駆動回路５３２とも同期が取られており、常に同一行の画素４１に対して第一画像信号や第二画像信号を供給するのが好ましい。例えば、第一信号線駆動回路５３１がｉ行目の画素４１の第一画素電極４５１に対して第一画像信号を供給する際には、第二信号線駆動回路５３２もｉ行目の画素４１の第二画素電極４５２に対して第二画像信号を供給する。
【００３７】
電気光学装置２００は第一基板６１１（図６参照）と第二基板６１２（図６参照）とを用いて形成される。第一基板６１１には第一走査線４２１と第一信号線４３１と第一トランジスター４４１（図５参照）と第一画素電極４５１とが形成され、第二基板６１２には、第二走査線４２２と第二信号線４３２と第二トランジスター４４２（図５参照）と第二画素電極４５２とが形成されている。従って、駆動回路５１の第一走査線駆動回路５２１と第一信号線駆動回路５３１とは第一基板６１１に薄膜トランジスター等の薄膜素子を用いて形成される。一方、駆動回路５１の第二走査線駆動回路５２２と第二信号線駆動回路５３２とは第二基板６１２に薄膜トランジスター等の薄膜素子を用いて形成される。
【００３８】
表示用信号供給回路３２と記憶回路３３とが制御装置３０に含まれており、制御装置３０は単結晶半導体基板に形成される半導体集積回路で構成されている。第一基板６１１には第一実装領域５４１（図６参照）が設けられており、第一実装領域５４１に配置された実装端子とフレキシブルプリント基板（Ｆｌｅｘｉｂｌｅ  Ｐｒｉｎｔｅｄ  Ｃｉｒｃｕｉｔ１Ｓ；  ＦＰＣ）とを介して制御装置３０から表示用信号が駆動回路５１の第一走査線駆動回路５２１と第一信号線駆動回路５３１とに供給される。同様に、第二基板６１２には第二実装領域５４２（図６参照）が設けられており、第二実装領域５４２に配置された実装端子とフレキシブルプリント基板とを介して制御装置３０から表示用信号が駆動回路５１の第二走査線駆動回路５２２と第二信号線駆動回路５３２とに供給される。尚、駆動回路５１を単結晶半導体基板に形成される半導体集積回路で構成しても良い。
【００３９】
「画素の構成」
図５は、各画素の回路図である。次に、図５を参照して画素４１の構成を説明する。
【００４０】
本実施形態の電気光学装置２００は液晶装置であり、電気光学材料は液晶４６となる。図５に示す様に、画素４１は、第一トランジスター４４１と第二トランジスター４４２と電気光学材料（液晶４６）と第一画素電極４５１と第二画素電極４５２とを含んでいる。画素４１は、相対向する第一画素電極４５１と第二画素電極４５２とを有し、これら両電極間に電気光学材料の液晶４６が配置された構成を為す。この結果、第一画素電極４５１と第二画素電極４５２との間に印加される電界に応じて液晶４６を通過する光の透過率が変化する。尚、電気光学材料としては、液晶４６に代わり、電気泳動材料を用いても良い。その場合、電気光学装置２００は電気泳動装置となり、電子書籍などに使用される。
【００４１】
第一トランジスター４４１のゲートは第一走査線４２１に電気的に接続され、第一トランジスター４４１のソースドレインの一方は第一信号線４３１に電気的に接続され、第一トランジスター４４１のソースドレインの他方は第一画素電極４５１に電気的に接続されている。即ち、第一トランジスター４４１は、第一画素電極４５１と第一信号線４３１との間に介在して両者の電気的な接続（導通／非導通）を制御する。この様に、第一画素電極４５１には、第一トランジスター４４１がオン状態とされた際に第一信号線４３１へ供給されている電位（第一画像信号）が供給される。尚、本実施形態では、第一トランジスター４４１はＮ型の薄膜トランジスターで構成され、第一走査線４２１に供給される走査信号は、高電位の際に選択信号となり、低電位の際に非選択信号となる。
【００４２】
第二トランジスター４４２のゲートは第二走査線４２２に電気的に接続され、第二トランジスター４４２のソースドレインの一方は第二信号線４３２に電気的に接続され、第二トランジスター４４２のソースドレインの他方は第二画素電極４５２に電気的に接続されている。即ち、第二トランジスター４４２は、第二画素電極４５２と第二信号線４３２との間に介在して両者の電気的な接続（導通／非導通）を制御する。この様に、第二画素電極４５２には、第二トランジスター４４２がオン状態とされた際に第二信号線４３２へ供給されている電位（第二画像信号）が供給される。尚、本実施形態では、第二トランジスター４４２はＮ型の薄膜トランジスターで構成され、第二走査線４２２に供給される走査信号は、高電位の際に選択信号となり、低電位の際に非選択信号となる。
【００４３】
第一画素電極４５１に対応して、第一基板６１１には更に第一容量素子４７１が形成されており、第一画素電極４５１の選択期間に供給された第一画像信号を非選択期間にも維持する。第一容量素子４７１は、第一容量第一電極７１１と、第一容量第二電極７１２と、これらの電極の間に配置された誘電体膜とを含んでいる。第一容量第一電極７１１は第一画素電極４５１に電気的に接続され、第一容量第二電極７１２は第一固定電位線４８１に電気的に接続されている。第一固定電位線４８１には第一固定電位が供給され、本実施形態では、負電源電位ＶＳＳが供給されている。
【００４４】
第二画素電極４５２に対応して、第二基板６１２には更に第二容量素子４７２が形成されており、第二画素電極４５２の選択期間に供給された第二画像信号を非選択期間にも維持する。第二容量素子４７２は、第二容量第一電極７２１と、第二容量第二電極７２２と、これらの電極の間に配置された誘電体膜とを含んでいる。第二容量第一電極７２１は第二画素電極４５２に電気的に接続され、第二容量第二電極７２２は第二固定電位線４８２に電気的に接続されている。第二固定電位線４８２には第二固定電位が供給され、本実施形態では、負電源電位ＶＳＳ（０Ｖ）が供給されている。尚、第一固定電位と第二固定電位とは、固定電位であれば如何なる電位であっても構わない。
【００４５】
この様にして、各画素４１では、第一画像信号と第二画像信号とに応じた表示を行う事になる。斯うすると、電気光学装置２００は、表示すべき画像を忠実に且つ高精細に表示する事ができる。
【００４６】
尚、本明細書にて、端子１と端子２とが電気的に接続されているとは、端子１と端子２とが同じ論理状態（設計概念上の電位）になり得る事を意味している。具体的には、端子１と端子２とが配線により直に接続されている場合の他に、抵抗素子やスイッチング素子等を介して接続されている場合を含む。即ち、端子１での電位と端子２での電位とが多少異なっていても、回路上で同じ論理を持たせる場合、端子１と端子２とは電気的に接続されている事になる。従って、例えば、図５に示す様に、第一信号線４３１と第一画素電極４５１との間に第一トランジスター４４１が配置された場合も、第一トランジスター４４１がオン状態では、第一信号線４３１に供給される第一画像信号が第一画素電極４５１に供給されるので、第一信号線４３１と第一画素電極４５１とは電気的に接続されている事になる。
【００４７】
「液晶装置の構造」
図６は液晶装置の模式断面図である。以下、液晶装置の断面構造を、図６を参照して説明する。尚、以下の形態において、「○○上に」と記載された場合、○○の上に接する様に配置される場合、又は、○○の上に他の構成物を介して配置される場合、又は、○○の上に一部が接する様に配置され一部が他の構成物を介して配置される場合、を表すものとする。
【００４８】
電気光学装置２００（液晶装置）では、一対の基板を構成する第一基板６１１と第二基板６１２とが、平面視で略矩形枠状に配置されたシール材６４にて貼り合わされている。液晶装置は、シール材６４に囲まれた領域内に液晶４６が封入された構成になっている。液晶４６としては、例えば、正の誘電率異方性を有する液晶材料が用いられる。
【００４９】
図６に示す様に、第一基板６１１の液晶４６側には、複数の第一画素電極４５１が形成されており、これら第一画素電極４５１を覆う様に第１配向膜６２１が形成されている。第一画素電極４５１は、インジウム錫酸化物（ＩＴＯ）等の透明導電材料からなる導電膜である。一方、第二基板６１２の液晶４６側には、複数の第二画素電極４５２が形成されており、これら第二画素電極４５２を覆う様に第２配向膜６２２が形成されている。第二画素電極４５２は、ＩＴＯ等の透明導電材料からなる導電膜である。
【００５０】
液晶装置は透過型であって、第一基板６１１及び第二基板６１２における光の入射側と出射側とにそれぞれ偏光板（図示せず）等が配置されて用いられる。尚、液晶装置の構成は、これに限定されず、反射型や半透過型の構成であってもよい。
【００５１】
電気光学装置２００は第一基板６１１と第二基板６１２を備えている。第一基板６１１には駆動回路５１の一部（図６では、第一信号線駆動回路５３１が図示）と第一実装領域５４１とが形成されており、第二基板６１２には駆動回路５１の一部（図６では、第二信号線駆動回路５３２が図示）と第二実装領域５４２とが形成されている。第一実装領域５４１や第二実装領域５４２を介して、制御装置３０からの表示用信号が第一走査線駆動回路５２１や第一信号線駆動回路５３１、第二走査線駆動回路５２２、第二信号線駆動回路５３２等へ供給される。
【００５２】
尚、第一画素電極４５１と第二画素電極４５２とは、第一方向に関しても第二方向に関しても互いに半ピッチずれる様にアライメントされているが、これは第一画素電極４５１の開口部の位置と大きさとが第二画素電極４５２の開口部の位置と大きさとに、設計概念上、第一方向に関しても第二方向に関しても、互いに半ピッチずらされている事を意味する。尚、第一画素電極４５１の周囲を囲む様に第一遮光膜が形成されても良く、第一遮光膜以外の領域と第一画素電極４５１との平面視に於ける共通部分が第一画素電極４５１の開口部である。同様に、第二画素電極４５２の周囲を囲む様に第二遮光膜が形成されても良く、第二遮光膜以外の領域と第二画素電極４５２との平面視に於ける共通部分が第二画素電極４５２の開口部である。
【００５３】
「駆動方法」
図７は、電気光学材料の電気光学特性の一例を示す図である。図８は、元画像信号の一例を示す図である。図９は、第一画像信号の一例を示す図である。図１０は、第二画像信号の一例を示す図である。図１１は、電気光学装置の表示の一例を説明する図である。次に、図７乃至１１を参照して電気光学装置２００の駆動方法を説明する。
【００５４】
電気光学装置２００では、一枚の表示画像は１フレーム期間に形成される。１フレーム期間には各第一走査線４２１と各第二走査線４２２とが少なくとも一度は選択される。通常は、各第一走査線４２１と各第二走査線４２２とが一度ずつ選択される。更に、電気光学装置２００では、第一期間と第二期間とが交互に繰り返され、極性反転駆動が行われる。この結果、電気光学材料の耐久性が向上することになる。第一期間と第二期間とは、１フレーム期間毎に繰り返されても良いし、数フレーム期間毎に繰り返されても良い。その上で１フレーム全体を同じ極性としても良いし（フレーム反転駆動）、或いは画素４１の行毎に極性を反転させても良い（１Ｈ反転駆動）。更には、１Ｈ反転駆動で、行方向で隣り合う画素４１にて極性を反転させるドット反転駆動としても良い。本実施形態では、第一期間と第二期間とは、１フレーム期間毎に繰り返されており、フレーム反転駆動を例にして説明する。
【００５５】
駆動部５０は、第一期間にも、第一期間に続く第二期間にも、第一画像信号を第一画素電極４５１に供給し、第二画像信号を第二画素電極４５２に供給するが、第一期間での第一画像信号は第二画像信号よりも低く、第二期間での第一画像信号は第二画像信号よりも高い。斯うする事で、第一画像信号や第二画像信号などの駆動電位を比較的低くしつつ、第一期間と第二期間とで電気光学材料への極性を反転させる事ができ、低電圧で極性反転駆動を実現できる。尚、本実施形態では、第一画像信号が第二画像信号よりも低くなった場合を負極性（電気光学材料に印加される電界は第二画素電極４５２から第一画素電極４５１に向かう）とし、第一画像信号が第二画像信号よりも高くなった場合を正極性（電気光学材料に印加される電界は第一画素電極４５１から第二画素電極４５２に向かう）とする。
【００５６】
各画素での電位は、第一画像信号と第二画像信号との差となり、この絶対値を画像電圧と称する。画像電圧とは、電気光学材料の電気特性に応じて定まる電圧である。例えば、図７に描かれた電気光学特性（液晶４６）を有する電気光学材料では、その表示階調に応ずる画像電圧（図７の電気光学特性の横軸の値）が定まる。例えば、図７の例では、黒表示（透過率０％）の画像電圧は０Ｖ程度であり、同様に、黒みがかった灰色表示（透過率２５％）の画像電圧は２．５Ｖ程度となり、白みがかった灰色表示（透過率７５％）の画像電圧は３．５Ｖ程度となり、白表示（透過率１００％）の画像電圧は６Ｖ程度である。以下、図７の電気光学特性を例として、駆動方法を説明する。以下では、駆動方法の一例として、元画像を４倍の解像度を持つ高精細画像として表示する例を説明する。具体的には、フルＨＤ画像（元画像の一例）から疑似４Ｋ画像（高精細画像の一例）へとアップコンバートして表示する方法を説明する。
【００５７】
まず、元画像はｍ1（＝ｍ2）行ｎ1（＝ｎ2）列であり、画素毎に固有の画像電圧を有している。この元画像を表示する際に、ｉ行ｊ列の画素にて電気光学材料に印加される電圧を元画像信号Ｖ0とする。又、元画像信号Ｖ0の最大振幅を最大振幅電圧ＶAとする。ここでは、図７に示す電気光学特性を想定しているので、最大振幅電圧ＶAは６Ｖである。又、任意の電圧をαとする。任意の電圧αは０Ｖから５Ｖ程度で、容量結合による電位変動の際に負電圧となる事態を避ける為である。本実施形態では、判りやすくする為にα＝０Ｖとしている。斯うした際に、第一期間にｉ行ｊ列の第一画素電極４５１に供給される第一画像信号Ｖ11とｉ行ｊ列の第二画素電極４５２に供給される第二画像信号Ｖ12とは、数式５と数式６との関係式を満たし、第一期間に続く第二期間にｉ行ｊ列の第一画素電極４５１に供給される第一画像信号Ｖ21とｉ行ｊ列の第二画素電極４５２に供給される第二画像信号Ｖ22とは、数式７と数式８との関係式を満たす様にする。
【００５８】
【数５】
0006354406.tif 000006
【００５９】
【数６】
0006354406.tif 000007
【００６０】
【数７】
0006354406.tif 000008
【００６１】
【数８】
0006354406.tif 000009
【００６２】
こうすると電気光学装置２００は、元画像を簡単に４倍の解像度となる高精細画像にアップコンバートでき、而も、アップコンバートされた高精細画が正しく表示される様になる。更に、第一期間と第二期間とで電気光学材料への極性が反転される。次にこの点を説明する。
【００６３】
図８に示す様に、元画像の１行１列の画素（１，１）が黒表示で、その画像電圧がゼロＶ（Ｖ0＝０Ｖ）とする。又、元画像の１行２列の画素（１，２）と２行１列の画素（２，１）と２行２列の画素（２，２）とが黒みがかった灰色表示で、それらの画像電圧が２Ｖ（Ｖ0＝２Ｖ）とする。更にそれらの外側の画素が白みがかった灰色表示でそれらの画像電圧が４Ｖ（Ｖ0＝４Ｖ）とする。又、更にそれらの外側の画素が白表示でそれらの画像電圧が６Ｖ（Ｖ0＝６Ｖ）とする。
【００６４】
ここでは第一期間に関して具体的に説明する。第一期間にｉ行ｊ列の第一画素電極４５１に供給される第一画像信号Ｖ11とｉ行ｊ列の第二画素電極４５２に供給される第二画像信号Ｖ12とは、数式５と数式６との関係式を満たし、ＶA＝６Ｖであるので、１行１列の第一画素電極４５１（１，１）から４行４列の第一画素電極４５１（４，４）の其々に供給される第一画像信号Ｖ11は図９に示される様になる。一方、１行１列の第二画素電極４５２（１，１）から４行４列の第二画素電極４５２（４，４）の其々に供給される第二画像信号Ｖ12は図１０に示される様になる。第一画素電極４５１と第二画素電極４５２とは第一方向及び第二方向に関して半ピッチずれて配置されているので、元画像の画像電圧が数式５と数式６とによって変換された結果、１行１列の画素４１（１，１）から７行７列の画素４１（７，７）の其々に供給される画像電圧（Ｖ11−Ｖ12）は、図１１に示される様になる。第一期間は負極性駆動を例としている。図１１から判る様に、元画像に対して、電気光学装置２００が表示する画像は、一方向に於ける解像度がほぼ２倍で（一方向に於ける画素サイズがほぼ半分で）、表現される階調もほぼ倍になる事が判る。
【００６５】
第二期間に供給される第一画像信号Ｖ21や第二画像信号Ｖ22に関しても同様である。更に、従来は極性反転駆動を行うには、画像信号の振幅は最大振幅電圧の倍となっていた。これは、正極性駆動時の画像信号の最高電位は共通電位と最大振幅電圧との和であり、負極性駆動時の画像信号の最低電位は共通電位から最大振幅電圧を引いた値で有った為である。従って、本実施形態の電気光学装置２００は画像信号の振幅が従来の半分となっており、低電圧化が可能となっている。
【００６６】
尚、元画像が２ｍ1×２ｎ1個の高精細画像の場合、数式５から数式８の逆変換を行って、第一期間に供給されるｍ1×ｎ1個の第一画像信号Ｖ11や第二画像信号Ｖ12、第二期間に供給されるｍ1×ｎ1個の第一画像信号Ｖ21や第二画像信号Ｖ22を求めて第一画素電極４５１や第二画素電極４５２に供給する。
【００６７】
「他の電子機器」
電気光学装置２００は上述の構成をなすが、この電気光学装置２００を組み込んだ電子機器としては、図１を参照して説明したプロジェクターの他にも、リアプロジェクション型テレビ、直視型テレビ、携帯電話、携帯用オーディオ機器、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチルカメラなどを挙げる事ができる。斯うした電子機器では、高精細な画像を表示する電気光学装置２００や、低解像度の画像信号に簡単な処理を施すだけで高解像度画像を表示する電気光学装置２００、を備えている事になる。
【００６８】
本発明は上述した実施形態に限定されず、上述した実施形態に種々の変更や改良などを加えることが可能である。
【符号の説明】
【００６９】
１Ｇｉ…ｉ行目の第一走査線、２Ｇｉ…ｉ行目の第二走査線、１Ｓｊ…ｊ列目の第一信号線、２Ｓｊ…ｊ列目の第二信号線、３０…制御装置、３２…表示用信号供給回路、３３…記憶回路、４０…表示領域、４１…画素、４６…液晶、５０…駆動部、５１…駆動回路、６４…シール材、２００…電気光学装置、２０１…第一パネル、２０２…第二パネル、２０３…第三パネル、４２１…第一走査線、４２２…第二走査線、４３１…第一信号線、４３２…第二信号線、４４１…第一トランジスター、４４２…第二トランジスター、４５１…第一画素電極、４５２…第二画素電極、４７１…第一容量素子、４７２…第二容量素子、４８１…第一固定電位線、４８２…第二固定電位線、５２１…第一走査線駆動回路、５２２…第二走査線駆動回路、５３１…第一信号線駆動回路、５３２…第二信号線駆動回路、５４１…第一実装領域、５４２…第二実装領域、６１１…第一基板、６１２…第二基板、６２１…第１配向膜、６２２…第２配向膜、７１１…第一容量第一電極、７１２…第一容量第二電極、７２１…第二容量第一電極、７２２…第二容量第二電極、１０００…投射型表示装置、１１００…照明光学系、１３００…投射光学系、１４００…投射面。
【図１】
0006354406.tif 000014
【図２】
0006354406.tif 000015
【図３】
0006354406.tif 000016
【図４】
0006354406.tif 000017
【図５】
0006354406.tif 000018
【図６】
0006354406.tif 000019
【図７】
0006354406.tif 000020
【図８】
0006354406.tif 000021
【図９】
0006354406.tif 000022
【図１０】
0006354406.tif 000023
【図１１】
0006354406.tif 000024